(57)【要約】【課題】室内での送風機による風に限ることなく、屋外での微風によっても物干し杆が回転しやすく、洗濯物の乾燥を促進する物干し具を提供するものである。【解決手段】脚部に立設された支柱の上部に放射状に多数の物干し杆が物干し杆支持具を介して設けられた物干し具であって、支柱が上部の支柱と下部の支柱からなり、上部の支柱と下部の支柱がベアリングを介して連結され、物干し杆に設けられたハンガー掛止部が物干し杆支持具の中心を通る放射線と異なる角度にハンガーが掛けられるようになされたことを特徴とするもので、物干し具正面からの風でも物干し杆が回転するので、自然の風でも物干し杆が回転するので、干し物が乾燥しやすい。【選択図】        図１
2006192205.tif 000002
【特許請求の範囲】
【請求項１】
脚部に立設された支柱の上部に放射状に多数の物干し杆が物干し杆支持具を介して設けられた物干し具であって、支柱が上部の支柱と下部の支柱からなり、上部の支柱と下部の支柱がベアリングを介して連結され、物干し杆に設けられたハンガー掛止部が物干し杆支持具の中心を通る放射線と異なる角度にハンガーが掛けられるようになされたことを特徴とする風力回転式物干し具。
【請求項２】
上部の支柱に物干し杆支持具を介して多数の物干し杆が設けられると共にその上部にピンチ吊り杆支持具を介してピンチ吊り杆が設けられた請求項１記載の風力回転式物干し具。
【発明の詳細な説明】
【技術分野】
【０００１】
本発明は、脚部に立設された支柱の上部に放射状に多数の物干し杆が設けられた物干し具に関し、前記物干し杆が風力により回転自在となされた物干し具に関する。
【背景技術】
【０００２】
【特許文献１】実用新案登録第３０２３４７５号
【特許文献２】実用新案登録第３０８０００８号  従来、実用新案登録第３０２３４７５号公報に於いて、脚部に支柱を立設し、この支柱の上端部に回転筒を回転可能に外嵌めし、この回転筒の外周壁に複数の支持部材を放射状に突設した物干し装置において、前記回転筒の上端部および下端部と前記支柱との間に各々玉軸受けを配置したことを特徴とする回転式物干し装置が提案されている。
【０００３】
又、実用新案登録第３０８０００８号公報に於いて、室内に設置される設置用脚部と、設置用脚部に支えられて立設される支柱と、該支柱の上端若しくは上端寄り部に配設された放射状の折り畳みアームとを備え、支柱の上端若しくは上端寄り部と折り畳みアーム若しくは折り畳みアーム支持部材との間に１つのボール型軸受けを介在させ、該折り畳みアームに吊下した洗濯物に空調機乃至送風機からの送風を吹き当てることにより、洗濯物を吊持した折り畳みアームを回転可能させるように構成したことを特徴とする室内用風力回転式物干し具が提案されている。
【発明の開示】
【発明が解決しようとする課題】
【０００４】
しかしながら上記の如き実用新案登録第３０２３４７５号公報に提案されている物干し具に於いては、洗濯物を係止する物干し杆が折り畳めないため梱包時に嵩張るという問題があった。
【０００５】
又、実用新案登録第３０８０００８号公報に提案されている物干し具に於いては、物干し杆に掛けられた洗濯物に風が均一に当たると物干し杆が回転せず、送風機などによって物干し具の端の方に風を送ってやる必要があるという問題があった。
【０００６】
そこで本発明者は従来の欠点に鑑み鋭意研究の結果、室内での送風機による風に限ることなく、屋外での微風によっても物干し杆が回転しやすく、洗濯物の乾燥を促進する物干し具を提供するものである。
【課題を解決するための手段】
【０００７】
本発明請求項１記載の風力回転式物干し具は、脚部に立設された支柱の上部に放射状に多数の物干し杆が物干し杆支持具を介して設けられた物干し具であって、支柱が上部の支柱と下部の支柱からなり、上部の支柱と下部の支柱がベアリングを介して連結され、物干し杆に設けられたハンガー掛止部が物干し杆支持具の中心を通る放射線と異なる角度にハンガーが掛けられるようになされたことを特徴とするもので、物干し具正面からの風でも物干し杆が回転するので、自然の風でも物干し杆が回転するので、干し物が乾燥しやすい。
【０００８】
本発明請求項２記載の風力回転式物干し具は、上部の支柱に物干し杆支持具を介して多数の物干し杆が設けられると共にその上部にピンチ吊り杆支持具を介してピンチ吊り杆が設けられた請求項１記載のもので、物干し杆のハンガーに掛けられた干し物が受けた風による偶力で、ピンチ吊り杆が回転され、ピンチに掛けられた物も乾きやすくなる。
【発明の効果】
【０００９】
本発明請求項１記載の風力回転式物干し具は、脚部に立設された支柱の上部に放射状に多数の物干し杆が物干し杆支持具を介して設けられた物干し具であって、支柱が上部の支柱と下部の支柱からなり、上部の支柱と下部の支柱がベアリングを介して連結され、物干し杆に設けられたハンガー掛止部が物干し杆支持具の中心を通る放射線と異なる角度にハンガーが掛けられるようになされたことを特徴とするもので、物干し具正面からの風でも物干し杆が回転するので、自然の風でも物干し杆が回転するので、干し物が乾燥しやすい。
【００１０】
本発明請求項２記載の風力回転式物干し具は、上部の支柱に物干し杆支持具を介して多数の物干し杆が設けられると共にその上部にピンチ吊り杆支持具を介してピンチ吊り杆が設けられた請求項１記載のもので、物干し杆のハンガーに掛けられた干し物が受けた風による偶力で、ピンチ吊り杆が回転され、ピンチに掛けられた物も乾きやすくなる。
【発明を実施するための最良の形態】
【００１１】
以下、図面を参照しながら本発明に付いて説明する。
図１は本発明風力回転式物干し具の実施形態の一例を示す斜視図である。
図面において１は支柱であって、図１の如く４本の脚杆２１からなる脚部２上に立設されている。支柱１は中間部で回転ソケット５に連結され、上部の支柱１１には放射状に多数の物干し杆２１が設けられ、上端には４本のピンチ吊り杆４がピンチ吊り杆支持具を介して設けられている。
【００１２】
物干し杆２１は基部が円盤状の支持盤に上下に回動可能に支持され、その下縁部に物干し用のハンガー掛止部３１とフック３２が設けられている。図２は本発明風力回転式物干し具にもの干し用ハンガーを係止した状態の平面図である。図２に示すように、物干し用のハンガー掛止部３１はハンガーａを係止したときにハンガーａが物干し杆２１に対して水平方向に所定角度傾けられるようになっている。この水平方向の傾きはすべての物干し杆２１において同一方向且つ同一角度となされている。図２においては物干し用ハンガーａは物干し杆２１に対して１０度の角度となっている。
【００１３】
図３は本発明における回転ソケット５の実施形態の一例を示す断面図であり、図４は回転ソケット５の内部構造を説明するための組立図である。下部のソケット５１は下部の支柱１２に嵌着され、下部のソケット５１の上には一対のベアリング５３が管体を介してボルト５４で固着されている。このベアリング５３の外周壁に上部のソケットが嵌着され、上部のソケットに上部の支柱１１が固着されている。上部の支柱１１と下部の支柱１２はベアリング５３を介して回転自在に連結されている。
【００１４】
本発明によれば、物干し具の正面から風を当てても、上部の支柱１１が物干し杆２１やピンチ吊り杆４と共に回転するので、室内の使用において、除湿器などの送風機を物干し具に対して、片寄せて設置する必要がないし、屋外での自然の風でも回転させることができ設置場所や送風の方法に係わらず使用することができる。
【００１５】
本発明に於けるベアリングとしては、ボールベアリングやローラーベアリングなどの転がり軸受けが用いられればよいし、材質も金属製の軸受けに限るものではなく、プラスチック製など適宜材料が用いられればよい。
【図面の簡単な説明】
【００１６】
【図１】本発明風力回転式物干し具の実施形態の一例を示す斜視図である。
【図２】本発明風力回転式物干し具にもの干し用ハンガーを掛けた状態の平面図である。
【図３】本発明における回転ソケットの実施形態の一例を示す断面図である。
【図４】本発明における回転ソケットの内部構造を説明するための組立図である。
【符号の説明】
【００１７】
１    支柱
１１  上部の支柱
１２  下部の支柱
２    脚部
２１  脚杆
３    物干し杆
３１  ハンガー掛止部
３２  フック
４    ピンチ吊り杆
５    回転ソケット
５１  下部のソケット
５２  上部のソケット
５３  ベアリング
５４  ボルト
ａ    ハンガー  
【図１】
2006192205.tif 000003
【図２】
2006192205.tif 000004
【図３】
2006192205.tif 000005
【図４】
2006192205.tif 000006